Podtech/llm-jp-corpus-v4-ja_patent huggingface dataset:
(57)【要約】      （修正有）【課題】植物に対する適宜の手入れが不用な簡易なテラリウムを提供する。【解決手段】本テラリウムは、密封された容器２と、該容器内に収容された植物４と、前記容器内に収容された水とを有する。【選択図】図１
0003107103.tif 000002
【実用新案登録請求の範囲】
【請求項１】
密封された容器と、
該容器内に収容された植物と、
前記容器内に収容された水とを有する、
テラリウム。
【請求項２】
前記容器が、
開放した端を備える容器本体と、
該容器本体を密封するように、前記容器の開放した端に着脱自在に取り付けられるようになった蓋とを有する、
請求項１記載のテラリウム。
【請求項３】
前記容器内に収容された石を有する、請求項１又は請求項２記載のテラリウム。
【考案の詳細な説明】
【技術分野】
【０００１】
本考案は、テラリウムに関するものである。
【背景技術】
【０００２】
植物、水を用いて森などの自然の一部を再現した槽をテラリウムと呼び、これを家屋内に置き、観賞することが行われている。テラリウムを家屋内に置くことによって、屋内にいながらにして自然の雰囲気を味わい、或いは、自然の癒しを受けることができるという利点がある。
テラリウムは、容器内に植物を置いただけの比較的単純なものから、容器内下部に水を入れ、この水を濾過フィルタを介してポンプで循環させる一方、容器内の水に、水を通すマットを敷き、この上に植物を配置するというような手の込んだものまであるようである。
【考案の開示】
【考案が解決しようとする課題】
【０００３】
上述したテラリウム、特に容器と、水のみとからなるような単純なテラリウムは、簡易な方法で自然の雰囲気を提供することができる点で優れているけれども、容器内の植物を生かすためには適切な手入れが必要であり、これに反して、例えば、水を与え過ぎたり、与える水の量が少なすぎた場合には植物が死んでしまうこともある。
【０００４】
従って、本考案は、上述した課題を解決するために考案されたものであって、植物に対する適宜の手入れが不要な簡易なテラリウムを提供することを目的とする。
【課題を解決するための手段】
【０００５】
上記目的を達成するため、本考案のテラリウムは、密封された容器と、該容器内に収容された植物と、前記容器内に収容された水とを有することを特徴とする。
本考案では、前記容器が、開放した端を備える容器本体と、該容器本体を密封するように、前記容器の開放した端に着脱自在に取り付けられるようになった蓋とを有するのが好ましい。
また、本考案では、前記容器内に収容された小石を有するのが好ましく、かかる小石は多孔性のものであるのが更に好ましい。
【考案の効果】
【０００６】
上記構成による本考案のテラリウムでは、植物が水と共に容器に収容されていることに加えて、容器が密閉されているので、植物は、密閉容器内で酸素同化作用、炭酸同化作用を行うことにより、外部からの手入れを何ら必要とすることなしに、比較的長期にわたって生きることができる。
【考案を実施するための最良の形態】
【０００７】
以下、添付図面を参照して、本考案の一実施形態について説明する。この実施形態は、本考案を、テーブルや家具の上に置いておくことが出来るよう比較的小型のテラリウムに適用したものである。
【０００８】
図１を参照すると、全体的に参照番号１で示されたテラリウムが槽、すなわち、容器２を有する。この容器２は、上方が開放した容器本体２Ａと、容器本体２Ａの開放した上方端に取り付けられるようになった、容器本体２Ａを実質的に密閉するための蓋２Ｂとからなる。
尚、テラリウム１は、内部に作られた自然の一部を模した景観を楽しむものであるから、容器２の少なくとも一部が透明であることはテラリウムの目的から当然のことである。本実施形態におけるテラリウム１は容器２全体が透明である。
【０００９】
テラリウム１はまた、容器２内に配置された小石３を有する。小石３は多孔質であるのが好ましい。
テラリウム１は更に、容器２内に配置された植物４を有する。この植物４は、この実施形態では、石４Ａに付着している苔４Ｂである。勿論、苔石４Ａ、４Ｂに代えて別個の植物４、例えば、水草などを用いることもできる。すなわち、植物４は、容器２内で生きることができる大きさ、種類のものであれば任意のもので良い。
テラリウム１は更に、容器２内に入れられた水５を有する。水５は、植物の育成に有用な成分を添加したものを含んでも良い。
【００１０】
上述し、また、図示したように、容器本体２Ａ内に小石３、苔石４Ａ、４Ｂ及び水５を収容し、容器本体２Ａの上方開放端に蓋２Ｂを取り付け、容器本体２Ａを密閉した、本考案のテラリウム１では、苔４Ｂ、すなわち、植物４は、酸素同化作用と炭酸同化作用という相反する２つの呼吸を行うことにより、密封された容器２内においても生きることができる。すなわち、本考案によるテラリウム１では、植物が生きるのに必要な一般的な手入れ、例えば、水やりや、植え替えなどを行うことなしに、容器２内に単に放置しておくだけで、永年にわたって植物４を生かしておくこと、或いは、ゆっくりであろうが育成することができる。
本考案は、上述した実施形態に限定されることなく以下のような種々の変更が可能である。
例えば、上記実施形態において、容器の蓋は容器本体に着脱自在に取り付けられるようになっていても良い。この場合には、容器内の植物をとりかえることも可能となる。蓋の着脱による容器の密閉性が低下するのを防止するため、蓋の縁部、或いは、蓋が取り付けられる容器本体の個所にゴム部材のようなシール部材を設けるのが好ましい。もっとも、このようなシール部材は、蓋を着脱自在に構成しない場合であっても好ましい。
【産業上の利用可能性】
【００１１】
上述した実施形態では、本考案によるテラリウムをテーブルに置くことができる程度の比較的小型のものとして説明したけれども、ホテルやレストラン、或いは病院などのフロアに比較的大型のものとして構成しても良いし、また、頂部又は頂面が直接床を構成し、このテラリウム上を歩くことができるようにしても良い。
【図面の簡単な説明】
【００１２】
【図１】本考案の一実施形態によるテラリウムを示す概略図である。
【符号の説明】
【００１３】
１  テラリウム
２  容器
４  植物
５  水
【図１】
0003107103.tif 000003
(57)【要約】【課題】犬の体に装着したとき、通気性を保ち、血行を阻害するのではなく逆に血行をよくし、保温効果をよくした犬用ショルダーバッグを提供する。【解決手段】犬用のショルダーバッグ（以下、単にバッグという）であって、素材を通気性良好で軽量の合成皮革を採用してバッグ１０を形成し、そのバッグ１０の、犬の体に接する面に陰イオン発生素材と遠赤外線発生素材とが混在する多数の突起１３を配設し、そのバッグ１０に前足に掛け渡すベルト１４と、胴に掛け渡すベルト１５を取付けたものであり、上記前足と胴に掛け渡すベルト１４，１５には面ファスナー１６を設けて長さを調節自在にし、バッグ１０が犬の体に接する面を合成皮革の裏側である不織布面とする。【選択図】図１
0003110104.tif 000002
【実用新案登録請求の範囲】
【請求項１】
犬用のショルダーバッグであって、素材を通気性良好で軽量の合成皮革を採用してショルダーバッグを形成し、そのショルダーバッグの、犬の体に接する面に陰イオン発生素材と遠赤外線発生素材とが混在する突起を多数配設し、そのショルダーバッグに前足に掛け渡すベルトと、胴に掛け渡すベルトを取付けたことを特徴とするペット用ショルダーバッグ。
【請求項２】
上記前足と胴に掛け渡すベルトには面ファスナーを設けて長さを調節自在にしたことを特徴とする請求項１に記載のペット用ショルダーバッグ。
【請求項３】
上記ショルダーバック゛の犬の体に接する面を、合成皮革の裏側である不織布面としたことを特徴とする請求項１又は２に記載のペット用ショルダーバッグ。
【考案の詳細な説明】
【技術分野】
【０００１】
この考案は、飼い犬（以下、単に「犬」という）に自らの所持品を持たせるためのショルダーバッグに関する。
【背景技術】
【０００２】
犬の散歩に際し、犬自身の所持品を持たせるためのバッグとして実願昭５４−１７８４７号（実公昭５６−５２８４３号）で畜犬用胴衣が提案されている。
【考案の開示】
【考案が解決しようとする課題】
【０００３】
上記提案は「基本的には馬の鞍の形状からなる犬の胴衣において、該胴衣が両側に収容部と、背部中央位置に把手部とを有し、該胴衣の両側下端部に形成した連結孔に両端部に設けた着脱手段により胴帯を着脱自在に連結し、かつ該胴衣の両側縁部であって胸を介して対称位置に設けた取付け部に、両端部に設けた着脱手段により中間に調節金具を有する首ベルトを着脱自在に連結した」ものである。
【０００４】
上記先行技術のものを検討すると、犬の所持品を自ら持たせる機能をもっているが、その胴衣を犬体に装着したとき、胴衣と犬の体が接するところで通気性が悪くなり、また、血行を阻害する恐れがある。
【０００５】
上記従来技術の問題に鑑みこの考案は、犬の体に装着したとき、通気性を保ち、血行を阻害するのではなく逆に血行をよくし、保温効果をよくした犬用ショルダーバッグを提供することを課題とする。
【課題を解決するための手段】
【０００６】
上記課題を解決するためにこの考案は、犬用のショルダーバッグ（以下、単にバッグという）であって、素材を通気性良好で軽量の合成皮革を採用してバッグを形成し、そのバッグの、犬の体に接する面に陰イオン発生素材と遠赤外線発生素材とが混在する突起を多数配設し、そのバッグに前足に掛け渡すベルトと、胴に掛け渡すベルトを取付けたものであり、上記前足と胴に掛け渡すベルトには面ファスナーを設けて長さを調節自在にし、バック゛の犬の体に接する面を、合成皮革の裏側である不織布面とするものである。
【考案の効果】
【０００７】
上記の如く構成するペット用バッグは、素材を通気性良好で軽量の合成皮革を採用し、しかも、バッグのペットの体に接する面を不織布の裏側である不織布面としたので、通気性が良好になり、体に接する面に陰イオンの発生素材と遠赤外線の発生素材とが混在する突起を多数配設することにより保温効果と血行改善効果が得られる。
【考案を実施するための最良の形態】
【０００８】
次にこの考案の実施の形態を、図面を参照しながら説明する。図１を参照して、犬用バッグ１０は、不織布の片面から発泡エマルジョン樹脂組成物を塗布、乾燥、架橋し、上記工程中でシボを発生させる操作をした公知の通気性良好で、軽量な合成皮革を採用する。
【０００９】
上記バッグ１０の、犬の体に接する面は、合成皮革の裏側である不織布面とし、他の部分は合成皮革の表側を表にして縫製し、バッグ１０本体の上方には把手１１ａ付きフラップ１１を設け、面ファスナー１２によって開け閉めを簡単にできるようにしている。
【００１０】
また、バッグ１０の犬の体に接する面には陰イオンを発生する素材と遠赤外線を発生する素材を混在した多数の突起１３を設けている。上記陰イオンを発生する素材としてはトルマリン石の粉末、遠赤外線を発生する素材としてはセラミックの前駆体である金属酸化物を挙げることができ、これらの粉末を一般的な手法により樹脂と混練りし、この樹脂組成物を円錐形ｗ、半球形ｘ、円柱形ｙあるいは円錐台形ｚなどの形状に公知の手段により成形し、これを融着したものである。
【００１１】
犬の前足に掛け渡すベルト１４および胴に掛け渡すベルト１５は、バッグ１０と同じ素材を採用して製作し、その端部の要所に面ファスナー１６を縫いつけ、または貼付けて長さの調節を容易にしている。
【００１２】
図２は、この考案に係るバッグ１０を犬Ｄに着用させた状態を示し、犬Ｄの体に接する面は、合成皮革の裏側である不織布面になっており、その面に陰イオン発生素材と遠赤外線発生素材が混在する多数の突起１３（図１参照）が設けられて、着用した犬Ｄにとっては体を動かすことにより陰イオンと遠赤外線が発生して血行がよくなり、体が暖められて快適な状態となる。
【産業上の利用可能性】
【００１３】
以上説明したようにこの考案によれば、通気性がよく軽量で、犬に着用させることにより陰イオンと遠赤外線が発生して血行がよくなり、保温効果が得られて快適な状態を提供することができ、それによって新しい市場を開拓することが可能となる。
【図面の簡単な説明】
【００１４】
【図１】本考案に係るペット用ショルダーバッグの（ａ）斜視図、（ｂ）突起部の詳細図
【図２】同ペット用ショルダーバッグを犬に着用させた状態の斜視図
【符号の説明】
【００１５】
１０  バッグ
１１  フラップ
１１ａ  把手
１２，１６  面ファスナー
１３  突起
１４  前足用ベルト
１５  胴用ベルト
Ｄ  犬
【図１】
0003110104.tif 000003
【図２】
0003110104.tif 000004
(57)【要約】【課題】  一般家庭ごみの集積場所で使用されているごみネット（カラス犬猫よけネット）籠は、電柱や立木に留めても籠が傾いたりして見苦しくなく。また、ごみネットは籠からあふれて垂れ下がって美観を損ねることなくかつ、歩道に設置される場合も歩行者の邪魔にならないごみネット専用の籠を提供する。【解決手段】  本考案は、ごみネット籠が電柱や立木の凸部を吸収できる三角柱状の溝を籠に組み込んで籠が回転しないよう固定する。さらに前述した三角柱状の溝中央に四角柱状の溝を組み込んで垂木やパイプにも固定できるようにしたごみネット籠を提供する。【選択図】図３
0003110109.tif 000002
【実用新案登録請求の範囲】
【請求項１】
電柱や立木の凸部を吸収して固定できるよう三角柱状の溝を縦に組み込み、上下に２本のカムバックル付きのベルトで留める穴と、パイプや垂木にも固定できるよう三角柱状の溝の中央部に四角柱状の溝を併合して埋め込み、上下に２個の足長コの字ボルトで留める穴と脚部にロープ留め穴を設けたごみネット籠。
【考案の詳細な説明】
【技術分野】
【０００１】
本考案は、家庭ごみ集積場所に設置されるごみネット（カラス犬猫よけネット）の収納籠に関するものである。
【背景技術】
【０００２】
家庭用ごみの集積場所では殆どごみネットを使用しているが現在その専用のごみネット収納籠は無く灯油のポリタンクを切って使用したり買い物籠や運搬用コンテナで代用している。
【考案の開示】
【考案が解決しようとする課題】
【０００３】
ごみネット収納籠を丸い電柱や立木に止める場合灯油ポリタンクや買い物籠・運搬用コンテナでは固定が難しく籠が傾いたりして見苦しい。
【０００４】
また、ごみネットは体積が大きく買い物籠では納まりきらず、あふれて垂れ下がって美観を損ねている。
【０００５】
それで運搬用コンテナの大きな籠を使用しているところもあるが歩道に設置される場合が多いので歩行者の邪魔になっている。
【０００６】
ごみネット籠を電柱、立木、垂木、パイプいずれに止める場合も現在は針金を使用しているが固定が難しく、また一旦固定すると外すのが困難となり、特に電柱は工事の支障になったり、立木は成長の妨げになっている。
【課題を解決するための手段】
【０００７】
本考案は、ごみネット籠が電柱や立木の凸部を吸収できる三角柱状の溝を籠に組み込んで籠が回転しないよう固定できるごみネット専用の籠を提供するのを特徴とする。
【０００８】
さらに、前述した三角柱状の溝の中央部に四角柱状の溝を組み込んで垂木やパイプにも固定できるようにしたごみネット専用の籠を提供する。
【考案の効果】
【０００９】
ごみネット籠を電柱や立木、垂木やパイプ等に簡単に取り付け、取り外しができ、籠からごみネットがはみ出さず納まりがよく、歩道等に設置しても歩行者の妨げにならず美観を損ねないごみネット専用の籠を提供する。
【考案を実施するための最良の形態】
【００１０】
以下、本考案を図面を参照しながら説明する。
【００１１】
本考案のゴミネット籠は図１に示すようにごみネット籠１の籠背部に電柱立木の凸部を吸収する三角柱状の溝１ｂと三角柱状溝中央に垂木やパイプを吸収できる四角柱状の溝１ｃを埋め込む二重構造を持った形状とする。
【００１２】
電柱や立木にはベルト３とカムバックル３ａでごみネット籠を固定する。
【００１３】
垂木やパイプには足長コの字ボルト２と平形の２穴ワッシャー２ａ・蝶ネジ２ｂで固定する。
【００１４】
籠を確実に固定するため図２に示すようにベルト３は上下のベルト用穴１ｆを通し、足長コの字ボルト２は上下のボルト用穴１ｄを通して固定する。
【００１５】
籠には、図２に示すように、ごみネットが盗まれないよう穴のあいた脚１ｅを設けロープで縛る。
【実施例】
【００１６】
本考案に係るごみネット籠１は、図３に示すように電柱の凸部を吸収できる三角柱状の溝１ｂを備えているので傾くことなく上下２箇所のバンド３でしっかり固定される。ごみネット７は盗まれないよう脚１ｅに縛る。
【００１７】
図４はごみネット籠１を垂木に取付けた。垂木は三角柱状の溝１ｂの中央にある四角柱状の溝１ｃにはまりしっかり固定される。ごみネット７はごみネット籠１が広口１ａなのでスムーズに収納できる。
【図面の簡単な説明】
【００１８】
【図１】ごみネット籠上面図
【図２】ごみネット籠背面図
【図３】ごみネット籠を電柱に取付け実施方法を示した説明図である。
【図４】ごみネット籠を垂木に取付け実施方法を示した説明図である。
【符号の説明】
【００１９】
１      ごみネット籠
１ａ    広口部分
１ｂ    三角柱状の溝
１ｃ    四角柱状の溝
１ｄ    足長コの字ボルト穴
１ｅ    脚兼ロープ留め穴
１ｆ    バンド用穴
２      足長コの字ボルト
２ａ    平形の２穴ワッシャー
２ｂ    蝶ネジ
３      ベルト
３ａ    カムバックル
４      「ごみステーション」看板
５      電柱
６      ごみネット盗難防止ロープ
７      ごみネット
８      垂木
【図１】
0003110109.tif 000003
【図２】
0003110109.tif 000004
【図３】
0003110109.tif 000005
【図４】
0003110109.tif 000006
(57)【要約】      （修正有）【課題】従来のものより盗難を困難にした、ノートパソコン盗難防止装置を提供する。【解決手段】ノートパソコン本体を１の鍵付金属製収納箱に入れ鍵を掛けることにより、鍵や箱を破壊しなければノートパソコンを取り出すことは出来ず、盗難から守ることが出来る。鍵付収納箱１と２に収納する事を特徴とする盗難防止器具である。また収納箱を鎖５で机の足などに巻き付け固定することにより鎖５を破壊しなければならず、ノートパソコン６の盗難が困難である。【選択図】図５
0003110187.tif 000002
【実用新案登録請求の範囲】
【請求項１】
ノートパソコン本体を錠付金属製箱に入れ鍵を掛けて保管することを特徴とする盗難防止器具。
【請求項２】
鎖で机に固定することを特徴とする請求項１記載の盗難防止器具。
【請求項３】
使用するときには解錠し、蓋を開ければすぐに使用する事が出来て、パソコンを移動する場合には簡単に取り出す事ができることを特徴とする請求項１記載の盗難防止器具。
【考案の詳細な説明】
【技術分野】
【０００１】  この発明は、ノートパソコン盗難防止装置の形状に関する。
【背景技術】
【０００２】  従来のノートパソコン盗難防止器具はワイヤーで机に繋ぐものがあったが、ペンチ等で簡単に切断されて盗難にあう被害があった。又ワイヤーは机上で邪魔になり取扱いが厄介であった。そこで図に示すようにノートパソコン用盗難防止器具を考案したものである。
【考案の開示】
【考案が解決しようとする課題】
【０００３】  ワイヤーを使用する盗難防止方法に代えて、ノートパソコンを盗難から守る有効な盗難防止方法が提供されていなかった。
【課題を解決するための手段】
【０００４】  以上の課題を解決するために、ノートパソコン本体を強靱な鍵付金属製収納箱に入れて、盗難から守ることが出来る。
第一考案は、金属製収納箱に入れ鍵を掛けることを特徴とする、簡単に解錠することが困難な盗難防止器具（図１及び図２）である。
また、第二考案は、その収納箱を従来あったワイヤーよりも強靱な金属製鎖で机に固定（図３）すれば、簡単に盗難する事が困難なことを特徴とするノートパソコン盗難防止器具である。
【考案の効果】
【０００５】  第一考案、または第二考案によれば、ノートパソコンを収納箱に入れて、施錠すれば、容易に空けることが出来ない。その収納箱を鎖で机に繋ぐと、盗難することが困難である。
【考案を実施するための最良の形態】
【０００６】  次に本考案を図面に基づいて説明する。図１は本考案のノートパソコン盗難防止器具の解錠している状態の斜視図である。図２は本考案にノートパソコン盗難防止装置の収納状態を示す斜視図、図３は収納箱を机に繋いでいる斜視図である。
盗難防止器具は金属製であり、受け皿と、蓋になる部分とに別れ、ノートパソコン本体を収容する事が出来る大きさに作ってある。その内側には鎖を繋ぐ鎖固定棒（符号４）と鎖（符号５）が装着してあり、解錠時には簡単に外せるが、収納時には外すことはできない。蓋には強固な錠前（符号３）が着いており容易に開けることは出来ない。
鎖はワイヤーなどと違い、ペンチなどで容易に切断できないもので、机（符号７）に巻き付け収納箱に接続をすると、簡単には取り外す事は出来ないようにしたものである。
「実施形態の効果」【０００７】  この実施形態によれば、盗難が困難であり、仮に盗難しても箱から簡単に取り出すことが困難なため、盗難防止器具として効果がある。
【図面の簡単な説明】
【０００８】
【図１】この考案の解錠時の一形態を示す斜視図である。
【図２】この考案の収納時の実施形態を示す斜視図である。
【図３】この考案の収納時の一形態を示す平面図である。
【図４】この考案の収納時の一形態を示す断面図である。
【図５】本考案の机への取付形態を示す斜視図である。
【符号の説明】
【００９】      １  考案の収納箱受け皿                ２  考案の収納箱蓋
３  錠前                              ４  鎖固定棒
５  鎖                                ６  ノートパソコン
７  机
【図１】
0003110187.tif 000003
【図２】
0003110187.tif 000004
【図３】
0003110187.tif 000005
【図４】
0003110187.tif 000006
【図５】
0003110187.tif 000007
【手続補正書】
【提出日】平成16年9月17日(2004.9.17)
【手続補正１】
【補正対象書類名】実用新案登録請求の範囲
【補正対象項目名】全文
【補正方法】変更
【補正の内容】
【実用新案登録請求の範囲】
【請求項１】
ノートパソコン本体を強靱な鋼板で出来たトレー（図１−１）に乗せ、その上から同様の鋼板で出来た蓋（図１−２）をかぶせて収納し、そのトレーと蓋に鍵（図１−３）を掛けて容易に開かない様にして保管することにより使用不能にする事を特徴とする箱状の盗難防止器具。
【請求項２】
請求項１記載盗難防止器具に鎖（図１−５）を付けて、その鎖を机の足などにからみつけて固定することを特徴とするもの。
【請求項３】
請求項１の盗難防止器具内部に金属製の棒（図１−４）を取り付けて、それに請求項２の鎖を通し、蓋を閉め施錠すれば外れなくなり、解錠して蓋を開くと、鎖を簡単に取り外す事が出来るので、パソコンの移動が容易にできることを特徴とするもの。
【手続補正書】
【提出日】平成17年1月6日(2005.1.6)
【手続補正１】
【補正対象書類名】実用新案登録請求の範囲
【補正対象項目名】全文
【補正方法】変更
【補正の内容】
【実用新案登録請求の範囲】
【請求項１】
ノートパソコン本体を強靱な鋼板で出来たトレーに乗せ、その上から同様の鋼板で出来た蓋をかぶせて収納し、そのトレーと蓋に鍵を掛けて容易に開かない様にして保管することによりパソコンを使用不能にする事を特徴とする箱状の盗難防止器具。
【請求項２】
請求項１の盗難防止器具と机を繋ぐことを特徴とする、請求項１に付随する鎖状盗難防止器具。
【請求項３】
請求項１の盗難防止器具内部に金属製の棒を取り付け、請求項２の鎖を通し、蓋を閉め施錠すれば外れなくなり、解錠して蓋を開くと、鎖を簡単に取り外す事が出来ることを特徴とする、請求項１に付随する鎖接続用盗難防止器具。
(57)【要約】【課題】    削岩機の圧搾空気排出音による騒音環境の改善。【解決手段】    圧搾空気の排出口に消音器を取り付ける。削岩機本体に損傷が及ばないように配慮する。【選択図】    図１
0003110190.tif 000002
【実用新案登録請求の範囲】
【請求項１】
エルボもしくは直管を溶接したフランジをラバーリングを介してＵボルトにて排出口に押し当てるように固定する。
【請求項２】
エルボに厚肉ホースを介して消音器を取り付ける。厚肉ホースが削岩機の振動を消音器に直接作用してその取り付け部に損傷を招かないようしている。
【考案の詳細な説明】
【技術分野】
【０００１】
土木建設機械の騒音環境の向上
【背景技術】
【０００２】
削岩機の騒音が市民及び野生動物の生態系にも悪影響を及ぼすので振動、騒音の軽減が図られている。
【考案の開示】
【考案が解決しようとする課題】
【０００３】
従来より削岩機の使用される分野は採石場、土木工事現場等の直接人身に騒音、振動被害の比較的影響の少ない場所であったが近年、騒音、振動の環境に与える影響を極力低下させようとの傾向にある。
【０００４】
しかし、削岩機は消音装置を機械内に装備しておらず対策が求められていた。
【課題を解決するための手段】
【０００５】
製作時に削岩機内に消音装置を組み込む方法と消音装置を後付けする方法があるが、本考案は後付けによるもので消音装置を取り付けるための手段について提案する。
【考案の効果】
【０００６】
削岩機は本来岩石に打撃を与え岩石に穿孔することを目的として使用されているため打撃音と、振動、それに圧搾空気の排出音が主な環境改善の項目とされている。本考案は圧搾空気の排出音を低減するためになされる考案である。
【考案を実施するための最良の形態】
【０００７】
本考案は削岩機に消音機を後付けにする。削岩機の本体のケーシング部は複雑な形状をしているため製作素材を鋳鉄にて製作されている。このためケーシングに溶接あるいはタッピングなどはケーシングの破損を招く。本考案はケーシングに溶接又は機械加工することなく消音装置の取り付けを行いケーシングに消音装置を取り付けることによるダメージがないように配慮している。
【実施例】
【０００８】
圧搾空気の排出口にエルボを溶接したフランジをラバーリングを介してＵボルトにて排出口に押し当てるように固定する。エルボに厚肉ホースを介して消音器を取り付ける。厚肉ホースは削岩機の振動が消音器に直接作用してその取り付け部に損傷を招かないよう配慮している。
【産業上の利用可能性】
【０００９】
環境改善の向上の為、削岩機を使用する工事には防音装置の取り付けが公共工事、民間工事でも要求されている。本考案は出願に先駆け公共発注元の要請により使用されている。
【図面の簡単な説明】
【００１０】
【図１】本考案の側面図
【図２】本考案の平面図
【図１】
0003110190.tif 000003
【図２】
0003110190.tif 000004
【手続補正書】
【提出日】平成16年11月1日(2004.11.1)
【手続補正１】
【補正対象書類名】明細書
【補正対象項目名】補正の内容のとおり
【補正方法】変更
【補正の内容】
0003110190.tif 000005
【手続補正書】
【提出日】平成17年2月1日(2005.2.1)
【手続補正１】
【補正対象書類名】実用新案登録請求の範囲
【補正対象項目名】全文
【補正方法】変更
【補正の内容】
【実用新案登録請求の範囲】
【請求項１】
エルボもしくは直管を溶接したフランジをラバーリングを介してＵボルトにて削岩機の圧搾空気排出工に固定した削岩機
【請求項２】
請求項１のエルボもしくは直管にサイレンサーを取付けた削岩機
【手続補正３】
【補正対象書類名】明細書
【補正対象項目名】０００５
【補正方法】変更
【補正の内容】
【０００５】削岩機にサイレンサーを取り付ける
【手続補正４】
【補正対象書類名】明細書
【補正対象項目名】０００７
【補正方法】変更
【補正の内容】
【０００７】本考案は削岩機にサイレンサーを後付けにする。削岩機の本体のケーシング部は複雑な形状をしているため製作素材を鋳鉄にて製作されている。このためケーシングに溶接あるいはタッピングなどはケーシングの破損を招く。本考案はケーシングに溶接又は機械加工することなくサイレンサーの取り付けを行いケーシングにサイレンサーを取り付けることによるダメージがないように配慮している。
【手続補正５】
【補正対象書類名】明細書
【補正対象項目名】０００８
【補正方法】変更
【補正の内容】
【０００８】圧搾空気の排出口にサイレンサーを取付ける。フランジにエルボを溶接し、ラバーリングを介してＵボルトにて排出口に押し当てるように固定する。エルボに厚肉ホースを介してサイレンサーを取り付ける。厚肉ホースは削岩機の振動がサイレンサーに直接作用してその取り付け部に損傷を招かないよう配慮している。
(57)【要約】【課題】  製造工程が簡略、低コストであり、かつ長期に亘ってハッカの香りが放散でき、快適に使用できる扇ぎ具を提供することを目的とする。【解決手段】  骨材３の両側に少なくとも２枚のシート状物４、５を貼着して成る団扇１または扇子等の扇ぎ具において、両側のシート状物４、５と骨材３との間に形成される空隙部６にハッカ脳７を封入して成る。【選択図】          図２
0003110122.tif 000002
【実用新案登録請求の範囲】
【請求項１】
骨材の両側に少なくとも２枚のシート状物を貼着して成る扇ぎ具において、両側のシート状物と骨材との間に形成される空隙部にハッカ脳を封入したことを特徴とする扇ぎ具。
【請求項２】
前記扇ぎ具が団扇または扇子であることを特徴とする請求項１記載の扇ぎ具。
【考案の詳細な説明】
【技術分野】
【０００１】
本考案は、あおいだ時にハッカの香りがする扇ぎ具に関する。
【背景技術】
【０００２】
従来の団扇あるいは扇子等の扇ぎ具には、表面のシート状物に種々な香料を含浸させたものがある。
【特許文献１】特になし
【考案の開示】
【考案が解決しようとする課題】
【０００３】
しかしながら、前記したような従来の扇ぎ具は、あらかじめ表面のシート状物に香料を含浸させるため、製造工程が煩雑なものとなる上に、コストアップの要因ともなり、かつ短期使用で香料が放散するという問題がある。
【０００４】
本考案は、前記した従来の技術が有する問題点を解消するもので、製造工程が簡略、低コストであり、かつ長期に亘ってハッカの香りが放散でき、快適に使用できる扇ぎ具を提供することを目的とする。
【課題を解決するための手段】
【０００５】
前記目的を達成するために、本考案に係る扇ぎ具は、骨材の両側に少なくとも２枚のシート状物を貼着して成る扇ぎ具において、両側のシート状物と骨材との間に形成される空隙部にハッカ脳を封入したことを特徴とする。
【０００６】
また、前記扇ぎ具が団扇または扇子であることを特徴とする。
【考案の効果】
【０００７】
本考案は、以上のとおり構成されるものであるから、団扇または扇子等の扇ぎ具をふることによって、骨材両側に貼着された各シート状物によって形成された空隙部に封入されたハッカ脳の香りを外部に放散することができる。
【０００８】
したがって、単に風を送るだけの従来の扇ぎ具と比較して、涼しさが一層引き立ち、きわめて快適に使用することが可能となる。
【０００９】
また、ハッカ脳は各シート状物によって密閉された空隙部に封入されているため、扇ぎ具を強くふっても内部のハッカ脳が散出することがなく、長期に亘る使用が可能である。
【００１０】
さらに、従来の扇ぎ具の製作工程の途中でハッカ脳を散布するだけで封入、構成されるため、製作工程が簡略であり、かつ低コストですむものである。
【考案を実施するための最良の形態】
【００１１】
以下、図面を参照して本考案を実施するための最良の一形態を詳細に説明すると、図において示される符号１は、扇ぎ具として団扇を例示したもので、柄２の先端に扇状の骨材３を設け、この骨材３の両側に２枚のシート状物４、５を貼着して成る公知形状のものである。
【００１２】
この団扇１において、柄２および骨材３は竹やプラスチック材、シート状物４、５は紙や布地等で構成することができる。
【００１３】
そして、図２に詳記されているように、団扇１における両側のシート状物４、５と骨材３との間に密閉状態で形成される各空隙部６に適量のハッカ脳７が封入される。
【００１４】
このハッカ脳７を封入するには次のような工程による。
先ず、図３に示すように、柄２先端の扇状の骨材３の片側に同形状のシート状物４を貼着する。そして、図４に示すように、骨材３側を上に向けて容器８からハッカ脳７を各骨材３の間にほぼ均等となるよう散布する。その後、図５に示すように、骨材３の上からシート状物４に合せてシート状物５を貼着する。
【００１５】
このようにして製作された団扇１は、両側のシート状物４、５と各骨材３との間に形成される各空隙部６にハッカ脳７が封入されているため、柄２を手に持って団扇１をふった時にハッカの香りを周囲に放散することができる。
【００１６】
ちなみに、結晶状のハッカ脳７は、摂氏４２〜４３℃位から溶け出すが、室温だと少しずつ揮発するため、だいたいワンシーズン使用が可能である。また、団扇１を水平方向にふった時にサラサラという音でハッカ脳７の残量の有無を確認することができる。
【００１７】
以上の実施形態は図示の団扇１に基づく説明であるが、扇ぎ具として扇子（不図示）も本考案の適用範囲であることは勿論である。
【図面の簡単な説明】
【００１８】
【図１】本考案の一実施形態を示す団扇の斜視図である。
【図２】同上におけるＡ−Ａ矢視拡大断面図である。
【図３】同上における団扇の最初の製作工程を示す斜視図である。
【図４】同上における団扇の途中の製作工程を示す斜視図である。
【図５】同上における団扇の最後の製作工程を示す斜視図である。
【符号の説明】
【００１９】
１  団扇
２  柄
３  骨材
４  シート状物
５  シート状物
６  空隙部
７  ハッカ脳
【図１】
0003110122.tif 000003
【図２】
0003110122.tif 000004
【図３】
0003110122.tif 000005
【図４】
0003110122.tif 000006
【図５】
0003110122.tif 000007
(57)【要約】      （修正有）【課題】作業床にあるピットに渡り板または作業用足場を一人で安全容易に渡すことができる。【解決手段】装置に移動するためのキャスター２を付け、装置下部に付いているガイドレール４を事前にピット８上の床面間に渡し、その上を装置本体を移動させて渡すことによって、１人作業で渡り板または作業足場１を安全かつ容易に渡せるようにする。また安全のために作業用手摺７を取り付けた。【選択図】図３
0003110200.tif 000002
【実用新案登録請求の範囲】
【請求項１】
作業床にあるピット上に渡り板または作業用足場を渡す方法として、事前にガイドレールを渡し、その上に渡り板または作業用足場本体を移動させて渡す装置。
【考案の詳細な説明】
【技術分野】
【０００１】
本考案は、作業床にあるピットに渡り板または作業足場を渡す装置に関する。
【背景技術】
【０００２】
ピットには木材の渡り板や建設用足場を２人作業で人力により渡していた。
【考案の開示】
【考案が解決しようとする課題】
【０００３】
従来の渡り板または作業足場をピットに渡す作業方法は、２人作業で建設用足場等を持ち上げて渡す重量作業であり、多少の危険も伴っていた。
【課題を解決するための手段】
【０００４】
本考案は、渡り板または作業足場をピットに渡す方法として、キャスター付きの渡り板または足場装置のガイドレールを事前にピット上に渡し、その上を渡り板または足場本体を移動させて渡して固定する装置により、１人で渡り板または足場を渡せるようにして上記課題を解決するものである。
【考案の効果】
【０００５】
本考案は、持ち運びを無くすためキャスターを付け、持ち上げて渡さなくてよいようガイドレールを使用することにより、渡り板または足場を一人作業で安全かつ容易に渡すことができる。
【考案を実施するための最良の形態】
【０００６】
本考案は、ピットに渡り板または作業足場を渡す作業を一人で安全に行うため、装置に作業床を移動できるキャスターを付け、ガイドレールを事前にピットの床面間に渡し、その上を渡り板または足場を移動させて渡して固定する装置により安全かつ容易に渡すことができる。また装置にはピットへの転落防止のカウンターウエ―トを取り付け、足場には安全のための作業用手摺を取り付けた。
【実施例】
【０００７】
以下、添付図面に従って実施例を説明する。装置をピット脇の所定の位置に移動し、1の装置本体を2のキャスターを転がし装置の半分を8のピット上に突き出して停止する（図１）。
3の後部ラッチを外し装置下部にある4のガイドレールを押し出し、9の反対床面に渡すことにより5の前部ラッチがガイドレールを自動的に固定する（図2）。
1の装置本体を動かし、2の中央キャスターをピットに落とす（図3）。
5の前部ラッチを外し、1の装置本体を4のガイドレール上を押し、8のピット上の床面間に渡すことにより3の後部ラッチがガイドレールを自動的に固定する（図4）。
復帰は逆の手順で行なう。
また1の装置が8のピットへ転落することを防止するため6のカウンターウエートを装置後部に取り付け、足場には安全のため７の作業用手摺を取り付ける。
以上の動作を安全確実に行なうため、3と5のラッチを用いて本体とガイドレールを固定する。
【図面の簡単な説明】
【０００８】
【図１】ガイドレール式ピット渡り板装置をピット上に半分突き出した状態図である。
【図２】ガイドレールを反対側床面まで押し出して渡した状態図である。
【図３】中央キャスターを落とし装置本体の移動を開始する状態図である。
【図４】装置をピット上に渡した状態図である。
【符号の説明】
【０００９】
１  渡り板または足場本体
２  キャスター
３  後部ラッチ
４  ガイドレール
５  前部ラッチ
６  カウンターウエート
７  作業用手摺
８  ピット
９  作業床
【図１】
0003110200.tif 000003
【図２】
0003110200.tif 000004
【図３】
0003110200.tif 000005
【図４】
0003110200.tif 000006
【手続補正書】
【提出日】平成17年2月17日(2005.2.17)
【手続補正１】
【補正対象書類名】実用新案登録請求の範囲
【補正対象項目名】全文
【補正方法】変更
【補正の内容】
【実用新案登録請求の範囲】
【請求項１】
作業床にあるピット上に渡り板または作業用足場を渡す方法として、作業床を移動できるキャスター付きの渡り板または作業用足場の下部にガイドレールを搭載し、ピット部で事前にガイドレールを押し出しピット上に渡して、ガイドレール上を渡り板または作業用足場本体を移動させてピット上にセットすることにより渡り板または作業用足場とする装置。
(57)【要約】      （修正有）【課題】襟元をさらに防寒する事を考えたカイロ。【解決手段】襟巻き、マフラーやネッカチーフ等内に装着し、襟元を一箇所だけでなく広い範囲で暖めるのに使用し、防寒に役立てる。【選択図】図１
0003110192.tif 000002
【実用新案登録請求の範囲】
【請求項１】
カイロで、マフラーやネッカチーフ等内に使用する。
使い捨てカイロや電子レンジ等で温め何回も繰り返し使用できるなどエコカイロ等様々な素材で可能なのが特徴。
【考案の詳細な説明】
【技術分野】
【０００１】本考案は、襟元を防寒するためのものである。
【背景技術】
【０００２】襟元の防寒はマフラーやネッカチーフ等を使用している。
【考案の開示】
【考案が解決しようとする課題】
【０００３】襟元をさらに防寒する。
【課題を解決するための手段】
【０００４】マフラーやネッカチーフ等の内側にカイロを粘着又は、ネッカチーフなどの場合はカイロ本体を巻き襟元をさらに防寒する。
【考案の効果】
【０００５】マフラーやネッカチーフの内側にカイロを使用することにより防寒をＵＰさせる。
【考案を実施するための最良の形態】
【０００６】数個のカイロが一箇所だけでなく広い範囲で襟元を温める事ができる。
【図面の簡単な説明】
【０００７】
【図１】本考案の正面図である。
【符号の説明】
【０００８】１．  カイロ本体
２．  カイロ部分
【図１】
0003110192.tif 000003
【手続補正書】
【提出日】平成17年1月21日(2005.1.21)
【手続補正１】
【補正対象書類名】実用新案登録請求の範囲
【補正対象項目名】全文
【補正方法】変更
【補正の内容】
【実用新案登録請求の範囲】
【請求項１】
帯状に小区画した使い捨てカイロ、温めて何回も繰り返し使用可能なカイロなど様々な発熱素材のものを等間隔あけてシートに複数並べて備え付けたことを特徴とするネックウォーマー。
【手続補正２】
【補正対象書類名】明細書
【補正対象項目名】全文
【補正方法】変更
【補正の内容】
【考案の詳細な説明】
【技術分野】
【０００１】  本考案は、カイロを複数等間隔で配置し、小区画した帯状のものである。
【背景技術】
【０００２】  従来のカイロは、範囲が一箇所のみの効果であった。
【考案の開示】
【考案が解決しようとする課題】
【０００３】  カイロは、効果範囲が限られており、これを等間隔で帯状にする事により、より広範囲に効果が発揮できる。また、発熱素材には何回も繰り返し使用できる素材もあり、経済的なシートも提供できる。
【課題を解決するための手段】
【０００４】  カイロを等間隔に配置したシート状の帯をつくる。長さや大きさは用途により様々でカイロが大きい場合やカイロ素材が多い場合はカイロの中心に十字の区切りを入れるなどカイロの移動を防ぐものを使用する。
【考案の効果】
【０００５】  温める範囲が広範囲になる。冬季、ネックのみに限らず、使い方しだいでは、肩や腕、足などを温めるために洋服内に貼る使用方法も可能である。
【考案を実施するための最良の形態】
【０００６】  添付図面により本考案の形態を図１で説明すると１はカイロで発熱物を使用した素材で、２は発熱物を等間隔につなげるものから構成される。３は図１の裏面に両面接着等を用いて粘着する。３は用途に応じ有無がある。
【実施例】
【０００７】  本考案の使用方法を述べると襟周りの保温でマフラー内に図１を貼り首から肩、胸など広範に温め寒さから身を守るものであるが使用箇所は限定される物ではない。【０００８】  さらに、図１の使用箇所を加える事で、足の場合はズボン内に貼り、腕の場合はオーバーの袖の内側に貼るなど貼る箇所を変える事もより広範囲に効果が出る。
【図面の簡単な説明】
【０００９】
【図１】本考案の正面図
【符号の説明】
１．カイロ（発熱物）
２．シート
３．裏面粘着テープ（有無）
【手続補正３】
【補正対象書類名】図面
【補正対象項目名】全図
【補正方法】変更
【補正の内容】
【図１】
0003110192.tif 000004
(57)【要約】      （修正有）【課題】夏でも水虫になったり蒸れて臭くならない靴、また、雨天でもつかえる靴を提供する。【解決手段】靴の先端部分上部に穴を開け覆い１を付け、上部縫代部分と靴底部分で縫い合わせる。【選択図】図１
0003110193.tif 000002
【実用新案登録請求の範囲】
【請求項１】
１  通気をよくするため靴の先端上部に  １〜２個の穴が開けられている。
２  その穴を雨や埃から守るための覆いがあり、上下で縫われている。
【考案の詳細な説明】
【技術分野】
【０００１】本考案は、靴に関する物であり、従来の靴は、密閉型である。
【背景技術】
【０００２】これまでメッシュシュ−ズや室内用の甲の部分に穴の開いたバスケットシュ−ズがある。
【考案の開示】
【考案が解決しようとする課題】
【０００３】夏場など特に靴の中が蒸れて、水虫になったり、足が臭くなったりするのを従来の靴では防ぐことができなかった。また、メッシュの靴は雨天の時、使えない。
【課題を解決するための手段】
【０００４】靴の先端上部に５ミリ位の穴を開け、その上に覆いを付け適度に緩ませて、上部縫代部分と靴底部分で縫い合わせる。
【考案の効果】
【０００５】これで、夏でも蒸れない、雨天でも使用できる靴ができる。
【図面の簡単な説明】
【０００６】
【図１】靴本体の完成図である。
【図２】靴本体の展開図である。
【符号の説明】
【０００７】１  覆い
２  穴
【図１】
0003110193.tif 000003
【図２】
0003110193.tif 000004
【手続補正書】
【提出日】平成17年1月26日(2005.1.26)
【手続補正１】
【補正対象書類名】実用新案登録請求の範囲
【補正対象項目名】全文
【補正方法】変更
【補正の内容】
【実用新案登録請求の範囲】
【請求項１】
通気をするため靴の先端上部に穴が開けられ、その穴を雨や埃から守るための覆いがあり上部縫代部分と靴底部分で縫われている蒸れない事を特徴とする靴。
(57)【要約】【課題】  腹部の冷えを防止するアンダ−シャツの提供。【解決手段】  アンダ−シャツの内側で腹部に相当する位置にタオル等の厚めの布地を止着具により着脱可能に装着するようにした。【選択図】  図１
0003110191.tif 000002
【実用新案登録請求の範囲】
【請求項１】
アンダ−シャツ１に於いて、腹部に相当する位置の内側に該腹部を覆う程度の任意の大きさを有するタオル等の布片２を着脱可能に装着したアンダ−シャツ。
【考案の詳細な説明】
【技術分野】
【０００１】  本考案は、腹部表面の汗を吸収し、汗の気化熱放散による腹部の冷えを防止するようにしたアンダ−シャツに関するものである。
【背景技術】
【０００２】  汗をかく季節になると腹部表面が汗の気化熱放散により冷えて胃腸障害、下痢等を起こすことがある。
【考案の開示】
【考案が解決しょうとする課題】
【０００３】  従来、腹部の冷えを防止する手段としては腹巻等を着用するのが一般的であるが、脱着が面倒であるばかりでなく商品によっては腹部が異常に膨らみ体裁的に歓迎し得ない面がある。
本考案は、アンダ−シャツの腹部にタオル等の布片を脱着可能に装着することによって前記従来の欠点を一掃し得る新規のアンダ−シャツを提供しようとするものである。
【課題を解決するための手段】
【０００４】  本考案は、前記の目的を達成する手段として、アンダ−シャツ１に於いて、腹部に相当する位置の内側に該腹部を覆う程度の任意の大きさを持つタオル等の布片２を着脱可能に装着するようにした。
【考案の効果】
【０００５】  本考案は、アンダ−シャツ１の腹部内側にタオル等の布片２を着脱可能に装着したもので、この布片２により汗が吸いとられ腹部の冷えを防止することができ、又、汗をかかない時期には保温の効果も得られる利点があり、更に夏季の就寝時に使用すると寝冷えを防ぐ効果も得られる。
次に、布片２はアンダ−シャツ１に脱着可能に装着してあるため汚れたときは随時洗濯して常に衛生的な布片２の使用が可能であり、又、従来の腹巻のような着膨れ状態にはならず使用簡便にして体裁的にも良好なアンダ−シャツを提供することが可能となるものである。
【考案を実施するための最良の形態】
【０００６】  本考案の具体的な構成を図に基づいて説明すると、アンダ−シャツ１は、木綿等の肌着であって、該アンダ−シャツ１の腹部に相当する位置の内側にタオル等の布片２を着脱可能に装着する。布片２の装着手段としては、ホック止めが最適であり、ホックの雌側３をアンダ−シャツ１取付け、雄側４を布片２に取付けることが望ましい。
尚、布片２をアンダ−シャツに直接縫い付けることも可能であるが脱着が面倒である欠点がある。
【産業上の利用可能性】
【０００７】  本考案は、肌着自体が腹巻の機能を持ち合わせ、大人、子供、女性等の広範囲に適用することが可能となるものである。
【図面の簡単な説明】
【０００８】
【図１】  アンダ−シャツと布片を分離した状態の斜視図
【図２】  アンダ−シャツの正面図
【図３】  要部の断面図
【符号の説明】
【０００９】  １  アンダ−シャツ
２  布片
【図１】
0003110191.tif 000003
【図２】
0003110191.tif 000004
【図３】
0003110191.tif 000005
(57)【要約】【課題】柔軟性に富むエラストマー製の柔軟性玩具において、適度の反発力を具備する。【解決手段】溶融されたエラストマー材料２を、パイプ材３を浮かせた状態で支持した金型１内に注入することにより柔軟性に富むエラストマー材料２中にパイプ材３が埋設されてなる。その埋設されたパイプ材３の外周側のエラストマー材料２が柔軟性に富むことを特長としつつパイプ材３の存在により適度の反発力を具備するものとなる。そして、パイプ材３の内周側のエラストマー材料２も柔軟性に富むことを特長としつつ周囲のパイプ材３の拘束力により適度の反発力を具備するものとなる。【選択図】図１
0003110152.tif 000002
【実用新案登録請求の範囲】
【請求項１】
柔軟性に富むエラストマー材料により形成される柔軟性玩具であって、
溶融されたエラストマー材料を、パイプ材を浮かせた状態で支持した金型内に注入することにより前記柔軟性に富むエラストマー材料中に前記パイプ材が埋設されてなることを特徴とする柔軟性玩具。
【請求項２】
前記金型内に前記パイプ材を浮かせた状態に支持する支持材も前記柔軟性に富むエラストマー材料中に埋設されてなることを特徴とする請求項１に記載の柔軟性玩具。
【考案の詳細な説明】
【技術分野】
【０００１】
本考案は、柔軟性に富むエラストマー製の柔軟性玩具に関する。
【背景技術】
【０００２】
弾性人形体に埋設する骨格部材として、硬質合成樹脂製の芯材と、芯材から人形体表面に向かって形成され芯材を覆う軟質合成樹脂と相溶性を有する固定軸とをインサート成形することが特開２０００−３５０８７１号公報により公知となっている。
インサート成形とは別に、溶融されたエラストマー材料を金型に注入することで柔軟性に富むエラストマー製の柔軟性玩具を成形することが行われる。
【考案の開示】
【考案が解決しようとする課題】
【０００３】
従来の柔軟性に富むエラストマー製の柔軟性玩具は、柔軟性に富むことを特長とするものの、その柔軟性のために外力に対し極めて容易に弾性変形しやすいものであった。
【０００４】
本考案の課題は、柔軟性に富むエラストマー製の柔軟性玩具において、適度の反発力を具備することである。
【課題を解決するための手段】
【０００５】
以上の課題を解決するため、請求項１に記載の考案は、例えば図１に示すように、柔軟性に富むエラストマー材料２により形成される柔軟性玩具であって、溶融されたエラストマー材料２を、パイプ材３を浮かせた状態で支持した金型１内に注入することにより前記柔軟性に富むエラストマー材料２中に前記パイプ材３が埋設されてなることを特徴とする。
【０００６】
請求項２に記載の考案は、請求項１に記載の柔軟性玩具であって、例えば図１に示すように、前記金型１内に前記パイプ材３を浮かせた状態に支持する支持材４も前記柔軟性に富むエラストマー材料２中に埋設されてなることを特徴とする。
【考案の効果】
【０００７】
本考案によれば、溶融されたエラストマー材料を、パイプ材を浮かせた状態で支持した金型内に注入することにより柔軟性に富むエラストマー材料中にパイプ材が埋設されてなる柔軟性玩具なので、その埋設されたパイプ材の外周側のエラストマー材料が柔軟性に富む特長を具備しつつパイプ材の存在により適度の反発力を具備するものとなる。
そして、パイプ材の内周側のエラストマー材料も柔軟性に富む特長を具備しつつ周囲のパイプ材の拘束力により適度の反発力を具備するものとなる。
【考案を実施するための最良の形態】
【０００８】
以下、図を参照して本考案を実施するための最良の形態を詳細に説明する。
本考案を適用した柔軟性玩具の一実施形態の構成を示す図１において、１は金型、２は柔軟性に富むエラストマー材料、３はパイプ材、４は支持材である。
【０００９】
図示のように、金型１の溶融されたエラストマー材料２が注入される成形空間には、縦方向にパイプ材３が支持材４により浮かせた状態に予め支持される。パイプ材３としては、鉄等の金属製のものや硬質合成樹脂製のものが挙げられ、その断面形状は円形でも角形でも良い。支持材４としては、複数本の紐や針金が挙げられる。
【００１０】
このように、金型１の成形空間にパイプ材３を縦にして支持材４により浮かせた状態において、溶融されたエラストマー材料２を注入する。この注入により、金型１の成形空間にエラストマー材料２が充填され、即ち、縦にして浮かせた状態のパイプ材２の外周側とともに内周側にもエラストマー材料２が充填される。
こうしてエラストマー材料２を注入ことで、その冷却後の脱型により柔軟性に富むエラストマー材料２により形成された所望形状の柔軟性玩具を得る。
その後、柔軟性玩具を形成する柔軟性に富むエラストマー材料２の外側に出た支持材４を切断して除去する。
【００１１】
以上の成形法により得られる柔軟性玩具によれば、その埋設されたパイプ材３の外周側のエラストマー材料２が柔軟性に富む特長を具備しながらもパイプ材３の存在により適度の反発力を具備するものとなる。
そして、特にパイプ材３の内周側のエラストマー材料２も柔軟性に富む特長を具備しながらも周囲のパイプ材３の拘束力により適度の反発力を具備するものとなるといった利点が得られる。
【００１２】
なお、以上の実施形態においては、金型内にパイプ材を浮かせた状態に支持する支持材を紐や針金としたが、本考案はこれに限定されるものではなく、支持材として棒やその他のものを用いても良い。
また、柔軟性玩具の形状等も任意であり、その他、具体的な細部構造等についても適宜に変更可能であることは勿論である。
【図面の簡単な説明】
【００１３】
【図１】本考案を適用した柔軟性玩具の一実施形態の構成を示すもので、溶融されたエラストマー材料の金型への注入工程を示した断面図である。
【符号の説明】
【００１４】
１  金型
２  柔軟性に富むエラストマー材料
３  パイプ材
４  支持材
【図１】
0003110152.tif 000003